(57)【要約】【課題】頭部の指圧効果と、頭部から発する熱や汗の発散効果に優れた枕カバーを提供する。【解決手段】枕カバー１は、重ね合わせた長方形の布地２が縫合されて細長い袋体３を複数列有し、球形をしたセラミックス４が袋体３に装填されている。各袋体３に装填されたセラミックスボール４は略同一の大きさを有している。セラミックスボール４の大きさは、通常は、１〜１０ｍｍ程度の範囲で選択される。各袋体３に装填するセラミックスボール４の個数は、袋体３の長手方向において隣り合うセラミックスボール４の間に多少の隙間が形成される程度の個数とするが、特にこれに限定されることはない。【選択図】    図１
2005261530.tif 000002
【特許請求の範囲】
【請求項１】
重ね合わせた生地が縫合されて細長い袋体が複数列形成された枕カバーであって、前記袋体に球形をしたセラミックスが装填されていることを特徴とする枕カバー。
【請求項２】
請求項１記載の枕カバーにおいて、球形セラミックスが略同一の大きさを備えていることを特徴とする枕カバー。
【請求項３】
請求項１記載の枕カバーにおいて、枕カバーが複数の領域に分けられ、同一の領域内のセラミックスは略同一の大きさを備え、かつ、他の領域のセラミックスと異なる大きさのセラミックスが装填されている領域が少なくとも一つ存在していることを特徴とする枕カバー。
【請求項４】
請求項１記載の構成を備えた枕カバーを複数個備え、それらが互いに連結可能とされていることを特徴とする枕カバー。
【発明の詳細な説明】
【技術分野】
【０００１】
本発明は、球形をしたセラミックスを使用した枕カバーに関し、特に頭部の指圧効果と頭部から出る熱や汗の発散効果を高め、快適な睡眠を提供できる枕カバーに関するものである。
【背景技術】
【０００２】
従来、枕カバーは布や樹脂等の材質からなり、単に枕を包んで枕の汚れを防ぐためのものであった。しかし、安眠効果を高めるために、枕カバーに頭部の指圧効果や、頭部より発する熱や湿気の発散効果を有する枕カバーが提案されている（例えば特許文献１参照）。
【特許文献１】特開平１０−５０９４号公報
【０００３】
この枕カバーは、複数本の縫合箇所を有する長方形の袋に篠竹等からなるパイプを挿入してなるものである。この枕カバーを枕の上に置いて使用すると、硬いパイプで頭部が指圧されたり、パイプの中を流通する空気が頭部から出る熱や湿気を取り除き、頭部を涼しく保つことができるという効果を発揮する。
【発明の開示】
【発明が解決しようとする課題】
【０００４】
しかしながら、上記枕カバーはパイプが同一方向に整然と並んでおり、方向性を有しているため、この枕カバーを枕の上に置いて使用したとき、頭部とのなじみが余り良くない面がある。また、頭部とは線接触となるため、指圧効果も低い。
【０００５】
本発明が解決しようとする課題は、頭部の指圧効果と、頭部から発する熱や汗の発散効果に優れた枕カバーを提供することである。
【課題を解決するための手段】
【０００６】
上記課題を解決するために本発明は次の解決手段を採る。すなわち、
本発明は、重ね合わせた生地が縫合されて細長い袋体が複数列形成された枕カバーであって、前記袋体に球形をしたセラミックスが装填されていることを特徴とする。
【０００７】
上記枕カバーにおいて、球形セラミックスは略同一の大きさとするのが一般的であるが（図１及び図２参照）、大きさを異なるようにしてもよい。
【０００８】
また、枕カバーが複数の領域に分けられ、同一の領域内のセラミックスは略同一の大きさを備え、かつ、他の領域のセラミックスと異なる大きさのセラミックスが装填されている領域が少なくとも一つ存在しているように構成してもよい（図４及び図５参照）。
【０００９】
また、上記で説明した枕カバーを複数個備え、それらが互いに連結可能とされているように構成してもよい（図６参照）。
【発明の効果】
【００１０】
本発明の枕カバーは以上の構成を有しているので、この枕カバーを枕の上に置いて使用すれば、頭部が球形セラミックスによって点で支えられるため、頭部が適度に指圧され、また、頭部から出た熱や汗の湿気が頭部と枕との間に形成される隙間を流通する空気によって外部に発散するため、頭部は涼しく、快適な睡眠を確保できる。
【発明を実施するための最良の形態】
【００１１】
以下、本発明の好ましい実施形態を図面に基いて説明する。
【００１２】
図１及び図２は本発明の一実施形態を示す。１は、重ね合わせた長方形の布地２が縫合されて細長い袋体３が複数列形成された枕カバーであって、球形をしたセラミックス（以下、セラミックスボールという。）４が袋体３に装填されている。各袋体３に装填されたセラミックスボール４は略同一の大きさを有している。セラミックスボール４の大きさは、通常は、１〜１０ｍｍ程度の範囲で選択される。本実施形態では、５ｍｍの大きさのセラミックスボール４を使用している。各袋体３に装填されるセラミックスボール４の個数は、本実施形態では、袋体３の長手方向において隣り合うセラミックスボール４の間に多少の隙間が形成される程度の個数とされているが、特にこれに限定されることはない。枕カバー１は均一な大きさのセラミックスボール４が均一に配列されているので頭部とのなじみが良好である。
【００１３】
この枕カバー１は次のようにして形成されている。すなわち、２枚の長方形の布地を重ね合わせ、３辺の周縁に沿って縫合する。次に、縫合されていない辺から対向する縫合辺までの間を直線状に縫合する。この縫合を等間隔をおいて複数行い、一端部が開口した細長い袋体を複数列形成する。次に、各袋体に各袋体の幅寸法よりも少し小さい大きさのセラミックスボールを装填した後、開口辺の周縁を縫合する。
【００１４】
本発明の枕カバー１を使用するときは、図３に示されているように、枕５の上に枕カバー１を置いて寝る。すると、頭部６はセラミックスボール４で均一に点で支えられ、頭部６が適度に指圧される。また、頭部６とのなじみも良好である。また、頭部６から出た熱や汗の湿気が頭部６と枕５との間に形成される隙間を流通する空気によって外部に発散するため、頭部６は涼しく、湿気がなく、快適な睡眠を確保できる。
【００１５】
図４は、本発明の別の実施形態を示す。この実施形態が上記実施形態と相違する点は、セラミックスボールの大きさにある。すなわち、本実施形態においては、枕カバー１が左右に３つの領域に分けられ、中央の領域のセラミックスボール４ａは大きく、両側の領域のセラミックスボール４ｂは小さい大きさとしたものである。このようにすると、セラミックスボール４ａ，４ｂの大きさの違いにより指圧効果が異なる領域ができる。
【００１６】
図５は、本発明の更に別の実施形態を示す。この実施形態は図４に示す実施形態とはセラミックスボールの大きさを逆にしたものである。すなわち、中央の領域のセラミックスボール４ａは小さく、両側の領域のセラミックスボール４ｂは大きい大きさとしたものである。
【００１７】
上記では領域を左右に分けたものを示したが、領域の分け方は任意でよく、例えば上下に領域を分けてセラミックスボール４の大きさを変えるようにしてもよい。
【００１８】
図６は、本発明の更に別の実施形態を示す。本実施形態の枕カバー１は、図１及び図２で説明した構造を有する小さい枕カバー１ａ、１ｂ、１ｃを３個造り、これらを互いに面ファスナーなどで連結可能に構成して一つの枕カバー１を構成できるようにしたものである。連結手段として本実施形態においては、面ファスナーを使用しており、小さい個々の枕カバー１ａ、１ｂ、１ｃの裏面の四隅に面ファスナーの被着片７ａが固着してあり、細長い小片状の接着片７ｂによって小さい枕カバー１ａ、１ｂ、１ｃを互いに連結できるようにしている。そして、小さい枕カバー１ａ、１ｂ、１ｃに装填されているセラミックスボール４の大きさを変えてある。例えば、小さい枕カバー１ａ、１ｂ、１ｃのセラミックスボール４の大きさを互いに異なる大きさとする。このようにすれば、小さい枕カバー１ａ、１ｂ、１ｃの配列位置を変えて互いに連結することにより、位置によって指圧効果が異なる枕カバー１を自由に構成することができる。
【００１９】
なお、本発明の枕カバーは、枕の上に敷く枕カバーとして使用するだけでなく、例えば足の下に敷いて寝ると足を指圧できるなど、体の各部位の指圧に利用することもできる。また、本発明の枕カバーは、入浴時湯温で温め、肩こり、筋肉疲労等の患部に当て、湯温による温湿布効果と指圧効果を得ることができる。また、サポーターとして患部に巻き付けることもできる。
【図面の簡単な説明】
【００２０】
【図１】本発明の枕カバーの一実施形態を示す平面図である。
【図２】図１のＡ−Ａ線断面図である。
【図３】枕カバーの使用状態を示す説明図である。
【図４】本発明の枕カバーの別の実施形態を示す平面図である。
【図５】本発明の枕カバーの更に別の実施形態を示す平面図である。
【図６】本発明の枕カバーの更に別の実施形態を示す裏面図である。
【符号の説明】
【００２１】
１，１ａ，１ｂ，１ｃ  枕カバー
２  布地
３  袋体
４，４ａ，４ｂ  セラミックスボール
５  枕
６  頭部
７ａ  被着片
７ｂ  接着片
【図１】
2005261530.tif 000003
【図２】
2005261530.tif 000004
【図３】
2005261530.tif 000005
【図４】
2005261530.tif 000006
【図５】
2005261530.tif 000007
【図６】
2005261530.tif 000008